(57)【要約】【課題】本発明は縦長ランプの光を反射し照光するための反射フードによる照度改善を図る照明器具を提供する。【解決手段】シェード１の内側に反射フード２を内装し、縦長ランプ４を該反射フード２の天板２ａを通し同フード２内に突出して成る照明器具において、上記反射フード２の天板２ａに下方へ向け拡径する多角形の環状反射板５を取り付け、上記反射フード２の天板２ａ直下の縦長ランプ４部分を該多角形の環状反射板５の多数の傾斜反射面５ｂで包囲する構成とした照明器具。【選択図】        図１
2009295424.tif 000002
【特許請求の範囲】
【請求項１】
シェードの内側に反射フードを内装し、縦長ランプを該反射フードの天板を通し同フード内に突出して成る照明器具において、上記反射フードの天板に下方へ向け拡径する多角形の環状反射板を取り付け、上記反射フードの天板直下の縦長ランプ部分を該多角形の環状反射板の多数の傾斜反射面で包囲する構成としたことを特徴とする照明器具。
【請求項２】
上記多角形の環状反射板は環状に配置した多数の傾斜反射片から成ることを特徴とする請求項１記載の照明器具。
【請求項３】
上記環状反射板を縦長ランプの中間部を包囲するように配置し、上記縦長ランプの下半部を上記環状反射板を通し反射フード内に突出すると共に、上記縦長ランプの上半部を上記反射フードの天板で隔てられたシェードの上部室内に配し、該上部室を形成するシェードの頭頂部周面板に複数の照光穴を設けたことを特徴とする請求項１記載の照明器具。
【発明の詳細な説明】
【技術分野】
【０００１】
本発明はシェード（Ｓｈａｄｅ）内において縦長ランプを包囲する反射フードと、該反射フードの内奥に配した環状反射板を備える照明器具に関する。
【背景技術】
【０００２】
従来シェードの内側に反射フードを同心に内装し、縦長ランプを上記シェードの天板に設けたソケットを介し上記反射フードの軸線上に垂下して同フード内に内包し、該縦長ランプの光を反射フードの内面で反射し、該反射フード及び上記シェードの下部開放面から下方へ照光するようにした照明器具が既知である。
【発明の開示】
【発明が解決しようとする課題】
【０００３】
本発明は上記反射フードによる照光作用を得ながら、同フードの内奥に配した下記構成の環状反射板とが協働して照度改善に寄与する照明器具を提供するものである。
【０００４】
即ち、上記反射フードの天板直下の縦長ランプ部分の光を以下に述べる構成を有する環状反射板で反射すると共に、該環状反射板下へ突出する縦長ランプ部分の光を上記反射フードで反射する構成にし、反射フードと環状反射板とが協働して上記シェード及び反射フードの下部開放面を通しての照度改善に資せんとするものである。
【課題を解決するための手段】
【０００５】
本発明はシェード（Ｓｈａｄｅ）の内側に反射フードを内装し、縦長ランプを該反射フードの天板を通し同フード内に突出して成る照明器具において、上記反射フードの天板に下方へ向け拡径する多角形の環状反射板を取り付け、上記反射フードの天板直下の縦長ランプ部分を該多角形の環状反射板の多数の傾斜反射面で包囲する構成とした照明器具を提供する。
【０００６】
例えば、上記環状反射板の多角形の反射面を多数の傾斜反射片で形成し、該傾斜反射片を下方へ向け拡開するように傾設し且つ環状に配置し、上記反射フードの天板直下の縦長ランプ部分を該各傾斜反射片による多数の傾斜反射面で包囲する構成とする。
【０００７】
又上記環状反射板の配置例として、これを上記縦長ランプの中間部を包囲するように配置し、上記縦長ランプの下半部を上記環状反射板を通し反射フード内に突出すると共に、上記縦長ランプの上半部を上記反射フードの天板で隔てられたシェードの上部室内に配し、該上部室を形成するシェードの頭頂部周面板に複数の照光穴を設け、上記シェード及び反射フードの下部開放面を通しての照光と、上記照光穴を通しての照光とにより天井下の部屋内を照光する構成としたものである。
【発明の効果】
【０００８】
本発明は上記縦長ランプを内包する反射フードの作用と、該反射フードの天板から突出する縦長ランプの突出基部を包囲する上記下方へ向け拡開するように傾斜せる構造の環状反射板とが協働して、照度改善を図ることができる。
【０００９】
加えてシェードと反射フードの下部開放端が照光面に影となって現れる現象を有効に解消できる。
【００１０】
又上記環状反射板を多数の反射片にて形成する多面反射構造により環状反射板を容易に且つ安価に製造できる。
【００１１】
又上記環状反射板を縦長ランプの中間部に配する上記構成により、縦長ランプの下半部の光を反射フードで反射する照光作用と、縦長ランプの上半部の光を上記シェードの頭頂部周面板に設けた照光穴を通して照光する作用とが協働して照明器具の上下への照光が有効に得られる。
【発明を実施するための最良の形態】
【００１２】
以下本発明を実施するための最良の形態を図１乃至図８に基づき説明する。
【００１３】
図１乃至図３に示すように、照明器具の最外部の覆いを形成するシェード１は天板１ａを有する截頭円錐形又は截頭角錐形の筒体で形成する。又は図面に示すように天板１ａを有する鐘楼形のシェードを使用する。
【００１４】
上記鐘楼形シェード１の内側に反射フード２を同一軸線Ｙにして内装する。該反射フード２は天板２ａを有する截頭円錐形又は截頭角錐形の筒体で形成する。図面は天板２ａを有する截頭円錐形の筒体から成る反射フード２を用いた例を示す。これら反射フード２は何れも天板２ａを含めた全内周面を鏡面仕上げしている。
【００１５】
上記シェード１の天板１ａにソケット３を設け、該ソケット３に縦長ランプ４を接続して上記反射フード２の天板２ａを通し反射フード２内に突出する。
即ち縦長ランプ４をシェード１の天板１ａから同シェード１内の軸線Ｙ上に垂設し、且つ反射フード２の天板２ａの中心に設けたランプ貫挿穴２ｂを通し反射フード２内の軸線Ｙ上に突出する。
【００１６】
上記反射フード２の天板２ａにシェード１及び反射フード２と同一軸線Ｙに環状反射板５を取り付ける。該環状反射板５は平面視多角形にし、多角形面にて多数の反射面５ｂを形成する。
【００１７】
上記多角形の環状反射板５は反射フード２の天板２ａから下方へ向け拡径し、即ち上方へ向け縮径するように傾斜し、上記反射フード２の天板２ａ直下の縦長ランプ部分を該環状反射板５の多数の傾斜反射面５ｂで包囲する。
【００１８】
好ましい例示として、上記環状反射板５の多数の傾斜反射面５ｂの個々を、下方へ向け拡開するように傾設し且つ環状に配置した多数の傾斜反射片５ａにて構成し、上記反射フード２の天板２ａ直下の縦長ランプ部分を該各傾斜反射片５ａによる多数の傾斜反射面５ｂで包囲する構成とする。
【００１９】
図示は省略するが、一枚の帯状の反射板を多角形に折り曲げ、両端を連結して上記環状反射板５を形成することができる。
【００２０】
上記縦長ランプ４に対する環状反射板５の配置例として、図２に示すように、上記環状反射板５をシェード１の天板１ａ直下の縦長ランプ基端部の周囲を同心に包囲するように配する。
【００２１】
これにより、反射フード２と環状反射板５とが協働する反射作用により上記シェード１及び反射フード２の下部開放面６を通しての照度改善を図る。
【００２２】
環状反射板５の配置例の他例として、図１は上記環状反射板５を縦長ランプ４の中間部を包囲するように配した場合を示している。
【００２３】
即ち、上記縦長ランプ４の反射フード２の天板２ａから下方へ突出する下半部を上記環状反射板５を通し反射フード２内に突出すると共に、上記縦長ランプ４の上半部を上記反射フード２の天板２ａで隔てられたシェード１の上部室１ｃ内に配し、該上部室１ｃを形成するシェード１の頭頂部周面板に複数の照光穴１ｄを設ける。
【００２４】
上記環状反射板５を縦長ランプ４の中間部に配する上記構成により、縦長ランプ４の下半部の光を反射フード２で反射する照光作用と、縦長ランプ４の上半部の光を上記シェード１の頭頂部周面板に設けた照光穴１ｄを通して照光する作用とが協働して照明器具の上下への照光が有効に得られる。
【００２５】
即ち、上記シェード１及び反射フード２の下部開放面６を通しての照光と、上記照光穴１ｄを通しての照光とにより天井７下の部屋内を効果的に照光できる。
【００２６】
図４Ａ，Ｂは上記反射フード２の構造例を示している。図４Ａに示すように、反射フード２を截頭円錐形にする場合、該截頭円錐形フードを軸線上において二分割した半円弧形板２′を二枚形成し、該半円弧形板２′の両側端を螺子（タッピング螺子）や鋲８等を使用して互いに連結し截頭円錐形にする。
【００２７】
図４Ｂに示すように、反射フード２を截頭角錐形にする場合、該截頭角錐形フードを軸線上において二分割した半多角形板２′を二枚形成し、該半多角形板２′の両側端を螺子（タッピング螺子）や鋲８等を使用して互いに連結し截頭角錐形にする。
【００２８】
上記に従い反射フード２を三枚以上の円弧形板又は同多角形板で形成し、各側端を連結して上記截頭円錐形又は截頭角錐形の反射フード２を形成することができる。
上記反射フード２を複数枚構造とすることにより、反射フード２の製造を容易且つ安価にすることができる。
【００２９】
次に上記環状反射板５の具体構造例とその製造法について図５乃至図８に基づいて説明する。
【００３０】
図５乃至図７に示すように、上記環状反射板５は同反射板５の上部開放面に底板５ｃを有し、該底板５ｃから同反射板５を下方へ向け拡開するように傾設した構造を有し、該底板５ｃの中央部に上記軸線Ｙを中心とするランプ貫挿穴５ｄを有する。
【００３１】
前記の通り、上記環状反射板５は反射フード２の内奥に配し、同フード２の天板２ａに一体に取り付けた構造を有するが、その取付手段として上記環状反射板５の底板５ｃを反射フード２の天板２ａの内面に重ね付けする。
【００３２】
例えば環状反射板５の底板５ｃを反射フード２の天板２ａの内面に重合した上で、底板５ｃに設けた複数の取り付け穴５ｅを反射フード２の天板２ａ上に設けた複数の取り付け穴と整合し、螺子（タッピング螺子）や鋲８によって一体に連結する。
【００３３】
上記底板５ｃは底部反射面を構成し、且つ取り付け手段として機能する。図示は省略するが、該底板５ｃを設けずに環状反射板５の上部開口縁から取り付け片を突設して上記反射フード２の天板２ａに螺子や鋲８を用いて一体に取り付けることができる。
【００３４】
例えば前記のように、一枚の帯状の反射板を環状且つ多角形に折り曲げ、両端を連結して上記環状反射板５を形成した場合に上記取り付け片を一体に設け、上記取り付けを図ることができる。
【００３５】
図８に基づき上記底板５ｃを有する環状反射板５の構造例とその製造法について説明する。
【００３６】
同図に示すように、例えば一面（内面となる一面）を鏡面仕上げした金属板材から十二角形等の多角形の平板５′を打ち抜き、該打ち抜きと同時に該打ち抜き板５′の各角部から中心に向け鋭角のＶ字形の切り欠き５″を打ち抜いて多数枚の反射片５ａ′を形成する。従って各反射片５ａ′の左右側辺は切り欠き５″を介して互いに分離している。
【００３７】
上記打ち抜き板５′の反射片５ａ′を図中破線で示す環状折線に従い斜め下方に向け立ち下げるように折曲することにより、隣接する反射片５ａ′の側辺を互いに突き合わせ状態、又は近接状態に環状配置して多数の傾斜反射片５ａから成る多数の反射面５ｂを有する環状反射板５を形成し、該環状反射板５内域（環状反射板５の上部開口）の底板５ｃにて中央反射板を形成する。底板５ｃを有しない場合には反射フード２の天板２ａを反射板として機能せしめる。
【００３８】
上記各反射片５ａ′の辺は上辺と下辺とが平行な直線であり、該上辺と下辺を連結する左右側辺が外方へ向け拡開するように傾斜し、全体視逆台形を呈する。従って底板５ｃは上記打ち抜き板５′と同心の多角形状を呈し、該多角形状の底板５ｃの各辺に連設された上記各反射片５ａ′を該底板５ｃの各辺から下方へ向け折り曲げて上記多角形の環状反射板５を形成する。
【００３９】
上記した環状反射板５の構造例は同反射板５の製造を容易にし、且つ安価にすることができる。
【００４０】
上記多角形の環状反射板５を図１に示すように、縦長ランプ４の中間部にこれを包囲するように配置するか、又は図２に示すように、縦長ランプ４の基部にこれを包囲するように配置する。
【００４１】
上記反射フード２と環状反射板５は何れもアルミ又はアルミ合金製であり、内面を鏡面仕上げし、上記反射面を形成したものである。
【図面の簡単な説明】
【００４２】
【図１】本発明の実施形態例を示す照明器具の縦断面図。
【図２】同照明器具の他例を示す縦断面図。
【図３】同照明器具の下部開放面から観た平面図。
【図４】Ａは上記照明器具を構成する反射フードの構造例を示す横断面図、Ｂは同他例を示す横断面図。
【図５】Ａは照明器具の反射フード内奥に配した環状反射板を上面側から観た斜視図、Ｂは同平面図。
【図６】Ａは照明器具の反射フード内奥に配した環状反射板を下面側から観た斜視図、Ｂは同平面図。
【図７】上記環状反射板の断面図。
【図８】上記環状反射板の展開図。
【符号の説明】
【００４３】
１…シェード、１ａ…天板、１ｃ…上部室、１ｄ…照光穴、２…反射フード、２′…半円弧形板又は半多角形板、２ａ…天板、２ｂ…ランプ貫挿穴、３…ソケット、４…縦長ランプ、５…環状反射板、５′…多角形の打ち抜き平板、５″…切り欠き、５ａ…傾斜反射片、５ａ′…打ち抜き反射片、５ｂ…傾斜反射面、５ｃ…底板、５ｄ…ランプ貫挿穴、５ｅ…取り付け穴、６…下部開放面、７…天井、８…螺子や鋲、Ｙ…軸線。
【図１】
2009295424.tif 000003
【図２】
2009295424.tif 000004
【図３】
2009295424.tif 000005
【図４】
2009295424.tif 000006
【図５】
2009295424.tif 000007
【図６】
2009295424.tif 000008
【図７】
2009295424.tif 000009
【図８】
2009295424.tif 000010